(57)【要約】【課題】減殺手段で使用された磁性流体をマグネットとコイルの間に注入させ磁束密度とダンピング効果を向上させた焦点調節装置が提供される。【解決手段】上記焦点調節装置は、内部に少なくとも一つ以上のレンズが内蔵された鏡筒と、上記鏡筒の外側面に配置されたコイルを具備した移動ユニット、上記鏡筒が収容される開口を具備するヨーク、上記ヨークが挿入されてその内部に設けられるケース、及び上記コイルと隣接して配置されるように上記ヨークに固定されるマグネットを具備した固定ユニット、上記ケースに対して上記移動ユニットを弾性的に支持する支持手段、及び上記コイルとマグネットの間に介在されて移動ユニットの振動を減殺させる減殺手段、を含むことを特徴とする。【選択図】図２
2006195452.tif 000002
【特許請求の範囲】
【請求項１】
内部に少なくとも一つ以上のレンズが内蔵された鏡筒と、上記鏡筒の外側面に配置されたコイルを具備した移動ユニット、
上記鏡筒が収容される開口を具備するヨーク、上記ヨークが挿入されその内部に設けられるケース、及び上記コイルと隣接して配置されるよう上記ヨークに固定されるマグネットを具備した固定ユニット、
上記ケースに対して上記移動ユニットを弾性的に支持する支持手段、及び
上記コイルとマグネットの間に介在され移動ユニットの振動を減殺させる減殺手段、を含む振動特性と耐衝撃性が向上された焦点調節装置。
【請求項２】
上記支持手段は上記ケースに対して上記鏡筒を弾性的に支持するよう上記ケースの上端と上記鏡筒の上端に固定された板スプリングであることを特徴とする請求項１に記載の振動特性と耐衝撃性が向上された焦点調節装置。
【請求項３】
上記ケースの上部にはカバーがさらに結合され上記ケースの上部と上記カバーの間に粘性を有する流体が充填されることにより、上記支持部材が上記流体によって被われるように構成されることを特徴とする請求項１に記載の振動特性と耐衝撃性が向上された焦点調節装置。
【請求項４】
上記減殺手段は粘性を有する流体であることを特徴とする請求項１に記載の振動特性と耐衝撃性が向上された焦点調節装置。
【請求項５】
上記減殺手段は粘性を有する磁性流体(ｍａｇｎｅｔｉｃ  ｆｌｕｉｄ)であることを特徴とする請求項１に記載の振動特性と耐衝撃性が向上された焦点調節装置。
【請求項６】
上記ケースの下部には上記レンズとの距離が調整されるように装着された画像センサーが設けられることを特徴とする請求項１に記載の振動特性と耐衝撃性が向上された焦点調節装置。
【請求項７】
内部に少なくとも一つ以上のレンズが内蔵され、貫通された案内開口が形成された鏡筒と、上記鏡筒の外側面に配置されたコイルを具備した移動ユニット、
上記鏡筒が収容される開口と上記案内開口に挿入される案内突起を具備するヨーク、上記ヨークが挿入されてその内部に設けられるケース、及び上記コイルと隣接して配置されるように上記ヨークに固定されるマグネットを具備した固定ユニット、
上記ケースに対して上記移動ユニットを弾性的に支持する支持手段、及び
上記コイルとマグネットの間に介在されて移動ユニットの振動を減殺させる粘性流体、を含み、
上記コイルとマグネットの間で発生される電磁気力によって移動ユニットが固定ユニットに対して直線運動することにより、レンズの焦点距離を調節する振動特性と耐衝撃性が向上された焦点調節装置。
【請求項８】
上記支持手段は上記ケースに対して上記鏡筒を弾性的に支持するよう上記ケースの上端と上記鏡筒の上端に固定された板スプリングであることを特徴とする請求項７に記載の振動特性と耐衝撃性が向上された焦点調節装置。
【請求項９】
上記ケースの上部にはカバーがさらに結合され上記ケース上部と上記カバーの間に粘性を有する流体が充填されることにより、上記支持部材が上記流体によって被われるように構成されることを特徴とする請求項７に記載の振動特性と耐衝撃性が向上された焦点調節装置。
【請求項１０】
上記粘性流体は磁性流体（ｍａｇｎｅｔｉｃ  ｆｌｕｉｄ）であることを特徴とする請求項７に記載の振動特性と耐衝撃性が向上された焦点調節装置。
【請求項１１】
上記ケースの下部には上記レンズとの距離が調整されるよう装着された画像センサーが設けられることを特徴とする請求項７に記載の振動特性と耐衝撃性が向上された焦点調節装置。
【発明の詳細な説明】
【技術分野】
【０００１】
本発明はＶＣＭ(Ｖｏｉｃｅ  Ｃｏｉｌ  Ｍｏｔｏｒ、音声コイルモーター)を利用した焦点調節装置に関するもので、より詳しくはマグネットとコイル間に減殺手段で使用された磁性流体を注入させ磁束密度とダンピング効果を向上させることにより発生される電磁気力の大きさを増大させ、耐衝撃性、焦点調節の信頼度及び回答特性を改善させた焦点調節装置に関するものである。
【背景技術】
【０００２】
一般的にカメラは多数個のレンズを具備しており、それぞれのレンズを移動させることにより光学的な焦点距離を調節するよう構成される。近年にはカメラが搭載された携帯電話が登場して携帯電話によって停止画像及び動画の撮影が可能になるようになり、このような写真及び動画を高解像度及び高画質で撮影するため現在カメラの性能が徐々に改善されている傾向である。
【０００３】
そのためにカメラの自動焦点調節機能や光学ズーム機能などが要求されており、この中で特に画像センサーに対して自動で焦点を合わせるための自動焦点調節機能は鮮明な画像を得るための最も基本的な機能と言える。
【０００４】
このような機能を遂行するための駆動源には大体回転力を発生させる小型の電気モーターが使用され、その他に圧電素子を利用した駆動手段やその他の種々な駆動装置らが使用される。
【０００５】
その中で従来の駆動源にはＶＣＭ(Ｖｏｉｃｅ  Ｃｏｉｌ  Ｍｏｔｏｒ、音声コイルモーター)と言われる一種のリニアモーターを利用するのが代表的である。上記ＶＣＭはスピーカーの振動原理を利用して駆動力を発生させるもので、大きく機動コイル型と機動磁石型がいる。機動コイル型は固定された磁石に対してコイルが相対的に往復運動するように構成されたものであり、機動磁石型は固定されたコイルに対して磁石が往復運動するように構成されたものである。
【０００６】
このようなＶＣＭは、そのものが直線運動をするように構成されているので従来の電気モーターとは違って回転運動を直線運動に変換する必要がない。このような特徴のため上記ＶＣＭは小さな空間内で直線運動のための駆動源として脚光を浴びており、小型カメラのレンズ駆動装置に適用するのに有利である。
【０００７】
従来のＶＣＭを利用した焦点調節装置はフレミングの左手法則より発生される電磁気力によってレンズの内蔵された鏡筒が直線的に動くように構成されるが、その構造について説明すれば次のようである。
【０００８】
図１ａ乃至１ｂに示すように、ハウジング１０１には一対のマグネット１０４が固定され、上記一対のマグネット１０４の間にはその外側にコイル１０６が具備されたホルダー１１０が配置されることにより、上記マグネット１０４とコイル１０６は隣接するように配置される。
【０００９】
この際、上記ホルダー１１０はその中央部に開口が形成され上記鏡筒１０２が結合されるように構成される。上記鏡筒１０２は少なくとも一つ以上のレンズが内蔵されているので上記ホルダー１１０が動きによって焦点距離が変化するようになる。
【００１０】
一方、上記ハウジング１０１とホルダー１１０はその上部が板スプリング１０８によって連結されて上記ハウジング１０１に対してホルダー１１０が板スプリング１０８によって支持される構造を有する。この際、上記コイル１０６に電流を印加させると、上記コイル１０６とマグネット１０４の間には電磁気力が発生されるが、このような電磁気力によって上記ホルダー１１０が直線運動をするようになる。
【００１１】
従って、上述したように、ホルダー１１０が直線運動をするようになると、鏡筒１０２内のレンズが移動して被写体から反射された光を画像センサー(図示せず)に正確に集光されるようにすることにより、焦点調節機能が実現される。
【００１２】
しかし、上記のように構成された従来の焦点調節装置は次のような問題点があった。すなわち、上記板スプリング１０８によって支持されたホルダー１１０は板スプリング１０８以外に振動を減殺させることが可能であるダンピング構造を具備していないので、焦点調節装置が落下したり、外部から衝撃を受ける場合振動に対して脆弱であるという問題点があった。
【００１３】
これはその共振点で振動のピーク値が増大されてホルダー１１０とその他構成要素らの衝突をもたらすことにより、焦点調節装置の耐久性を低下させるだけでなく焦点調節の際焦点調節に対する回答時間(レンズが停止するまでの所要時間)が長くなるという問題点が生じた。
【００１４】
また、ダンピングが十分に行なわれないためホルダー１１０の正確な位置制御が困難で鏡筒１０２内に装着されたレンズによって焦点を正確に合わせることが困難であるので鮮明な写真や映像を得るのに数々の問題点が生じた。
【００１５】
のみならず、鏡筒１０２により多いレンズを内臓させる必要がある場合上記鏡筒１０２と結合されたホルダー１０１の荷重が増加されるが、この際ホルダー１０１を容易に移動させるためには大きい移送力が必要である。そのためにコイル１０６に印加される電流を増加させたりマグネット１０４によって発生される磁束密度を増加させなければならなかった。
【００１６】
しかし、コイル１０６に印加される電流を増加させることはその消耗電力の増大をもたらし、磁束密度を増加させるためにはマグネット１０４の磁性を増加させるべきであるが、磁性はマグネット１０４の物性値であるので変化させることが困難であるという問題点があった。
【発明の開示】
【発明が解決しようとする課題】
【００１７】
本発明は上記のような従来の問題点を解消するためのものとして、マグネットとコイルの間に磁性流体を注入させ磁束密度とダンピング効果を向上させることにより発生される電磁気力の大きさを増大させ、耐衝撃性、焦点調節の信頼度及び回答特性を向上させるように改善した焦点調節装置を提供するのにその目的がある。
【課題を解決するための手段】
【００１８】
上記目的を果たすために本発明は、内部に少なくとも一つ以上のレンズが内蔵された鏡筒と、上記鏡筒の外側面に配置されたコイルを具備した移動ユニット、上記鏡筒が収容される開口を具備するヨーク、上記ヨークが挿入されてその内部に設けられるケース、及び上記コイルと隣接して配置されるよう上記ヨークに固定されるマグネットを具備した固定ユニット、上記ケースに対して上記移動ユニットを弾性的に支持する支持手段、及び上記コイルとマグネットの間に介在されて移動ユニットの振動を減殺させる減殺手段、を含む振動特性と耐衝撃性が向上された焦点調節装置を提供する。
【００１９】
好ましくは、上記支持手段は上記ケースに対して上記鏡筒を弾性的に支持するよう上記ケースの上端と上記鏡筒の上端に固定された板スプリングであることができる。
【００２０】
上記ケースの上部にはカバーがさらに結合され上記ケースの上部と上記カバーの間に粘性を有する流体が充填されることにより、上記支持部材が上記流体によって被われるように構成され得る。
【００２１】
この際、上記減殺手段は粘性を有する流体、より好ましくは粘性を有する磁性流体(ｍａｇｎｅｔｉｃ  ｆｌｕｉｄ)であることでき、上記ケースの下部には上記レンズとの距離が調整されるように装着された画像センサーが設けられるように構成され得る。
【００２２】
また、本発明は、内部に少なくとも一つ以上のレンズが内蔵され、貫通された案内開口が形成された鏡筒と、上記鏡筒の外側面に配置されたコイルを具備した移動ユニット、上記鏡筒が収容される開口と上記案内開口に挿入される案内突起を具備するヨーク、上記ヨークが挿入されてその内部に設けられるケース、及び上記コイルと隣接して配置されるよう上記ヨークに固定されるマグネットを具備した固定ユニット、上記ケースに対して上記移動ユニットを弾性的に支持する支持手段、及び、上記コイルとマグネットの間に介在されて移動ユニットの振動を減殺させる粘性流体、を含み、上記コイルとマグネットの間で発生される電磁気力によって移動ユニットが固定ユニットに対して直線運動することにより、レンズの焦点距離を調節する振動特性と耐衝撃性が向上された焦点調節装置を提供する。
【００２３】
好ましくは、上記支持手段は上記ケースに対して上記鏡筒を弾性的に支持するよう上記ケースの上端と上記鏡筒の上端に固定された板スプリングであることができる。
【００２４】
より好ましくは、上記ケースの上部にはカバーがさらに結合され上記ケース上部と上記カバーの間に粘性を有する流体が充填されることにより、上記支持部材が上記流体によって被われるよう構成され得る。
【００２５】
上記粘性流体は磁性流体（ｍａｇｎｅｔｉｃ  ｆｌｕｉｄ）であり、上記ケースの下部には上記レンズとの距離が調整されるよう装着された画像センサーが設けられるよう構成され得る。
【発明の効果】
【００２６】
本発明によれば、マグネットとコイルの間に磁性流体を注入させ磁束密度とダンピング効果を向上させることにより発生される電磁気力の大きさを増大させ、耐衝撃性、焦点調節の信頼度及び回答特性を向上させる效果を得ることができる。
【００２７】
また、ケースの上部に固定されるカバーをさらに具備してその間に流体ダンパーを充填させることにより支持部材が上記流体ダンパーによって被われるよう構成してダンピング効果をより向上させることも可能である。
【００２８】
さらに、鏡筒とヨークに互いに結合される案内開口と案内突起をそれぞれ形成してその組立性を向上させる效果も得ることができる。
【発明を実施するための最良の形態】
【００２９】
以下、添付された図面に基づいて本発明の好ましい実施例をより詳しく説明すれば次のようである。
【００３０】
図２は、本発明による焦点調節装置の一実施例を示す分解斜視図であり、図３は図２の移動ユニットと固定ユニットが結合された斜視図であり、図４は図２の支持部材とケースが結合された斜視図であり、図５は本発明の他の実施例によるケースと支持部材を示す分解斜視図であり、図６は図５のケースと支持部材を適用した焦点調節装置を示したもので、ａは全体斜視図で、ｂはａの線Ａ-Ａに沿った斜視断面図である。
【００３１】
本発明はマグネットとコイルの間に磁性流体を注入させ磁束密度とダンピング効果を向上させることにより発生される電磁気力の大きさを増大させ、耐衝撃性、焦点調節の信頼度及び回答特性を改善させた焦点調節装置に関するものである。
【００３２】
図２に示すように、本発明による焦点調節装置は移動ユニット１０、固定ユニット３０、支持手段５０及び減殺手段を含んでいるが、まず移動ユニット１０について以下で説明する。
【００３３】
上記移動ユニット１０は焦点調節装置において直線運動をする部分で、鏡筒１２とコイル１４を具備している。上記鏡筒１２はその内部に少なくとも一つ以上のレンズ(図示せず)を具備しており、様々な形状で形成され得るが、円筒形で形成されるのが好ましい。この際、上記レンズ(図示せず)は実現しようとするカメラの機能及び性能によって鏡筒１２内に一つあるいは、多数個が設けられることができる。
【００３４】
一方、上記のようにその内部に少なくとも一つ以上のレンズ(図示せず)が内蔵された鏡筒１２には案内開口１２ａが形成されており、その外側面にはコイル１４が巻線されている。上記コイル１４は図面には示してないが、電源(ｐｏｗｅｒ  ｓｏｕｒｃｅ)と電気的に連結されて電源から電流が供給されるよう構成される。
【００３５】
次には、固定ユニット３０について説明する。固定ユニット３０はヨーク３２とマグネット３４を具備している。上記ヨーク３２は上述した鏡筒１２を収容するためにその中央部に貫通された開口が形成されており、図２では中空の円筒形で示されたが、その他に様々な形態でも形成され得る。
【００３６】
上記のように構成されたヨーク３２の内周面には環状またはこのような形態になるようマグネット３４が固定されているが、上記マグネット３４は上記ヨーク３２の下面から開口中央部に突出された突出部３２ａによってその下部が支持される。
【００３７】
一方、上記突出部３２ａは上記マグネット３４よりヨーク３２の中央部にさらに突出されるよう構成され、その先端には上記鏡筒１２の案内開口１２ａに挿入されるためにヨーク３２の上部に突出された案内突起３２ｂが形成されている。この際、上記案内突起３２ｂとマグネット３４の内側面は互いに離隔されている。
【００３８】
すなわち、図３に示すように、上記のように構成された案内突起３２ｂは上記鏡筒１２が上記ヨーク３２の中央部に収容される際鏡筒１２に形成された案内開口１２ａに挿入され、上記突出部３２ａは上記鏡筒１２の下面を支持するようになる。
【００３９】
上記のようにヨーク３２と鏡筒１２が結合される場合ヨーク３２の案内突起３２ｂが鏡筒１２の案内開口１２ａに挿入される構造であるので、移動ユニット１０と固定ユニット３０は容易に結合され一定な位置関係を形成するようになる。
【００４０】
一方、図２に示すように、上記鏡筒１２と結合されるヨーク３２は中空円筒形のケース３６内に挿入されることにより、上記ヨーク３２の外側には上記ヨーク３２を収容するケース３６が結合される。すなわち、鏡筒１２が結合されたヨーク３２はケース３６内に収容される。上記ケース３６は下部が開放された中空の円筒形をなし、その上部には後述する支持手段５０が固定されるための結合溝３６ａが形成され、下部内周面には雌ネジ部３６ｂが形成されている。
【００４１】
従って、上記移動ユニット１０と固定ユニット３０の組立体は上記ケース３６の内部に設けられる。この際、上記ケース３６の下部には画像センサー９０が結合されるが、上記画像センサー９０はケース３６の雌ネジ部３６ｂにネジ結合されるセンサーブラケット９２に付着されて上記鏡筒１２に内蔵されたレンズとの距離が調節されることが可能になるように構成される。
【００４２】
一方、上記ケース３６の上部に形成された結合溝３６ａには上記ケース３６に対して上記移動ユニット１０を弾性的に支持する支持手段５０が固定される。上記支持手段５０は図２に示すようにケース３６の上部に固定される複数の固定部５２と上記鏡筒１２の上部に固定される支持部５４から構成されており、好ましくは板スプリングに形成され得る。
【００４３】
従って、上記鏡筒１２はその下部が上記ヨーク３２の突出部３２ａから離隔されるよう支持手段５０によって支持され、外力によって上下に移動することができるように構成される。
【００４４】
この際、上記支持手段５０は上記鏡筒１２を弾性的に支持するだけでなく、上記鏡筒１２の動きに対する振動を減殺させ衝撃が加えられる場合その衝撃を緩和させるダンパー(ｄａｍｐｅｒ)の役割をするようになる。
【００４５】
次に、減殺手段７０について説明する。
図３に示すように、隣接して配置されたマグネット３４とコイル１４の間には減殺手段７０が介在されるが、上記減殺手段７０は上記鏡筒１２の動きに対する振動を減殺させ外部から衝撃が加えられる場合衝撃を緩和させるダンパーの役割をする。
【００４６】
この際、上記減殺手段７０には、粘性を有する流体、すなわち粘性流体が適用され得る。上記粘性流体は上記マグネット３４とコイル１４の間に注入され、そのものの粘性と表面張力によって上記マグネット３４とコイル１４の間で離脱しなくなる。
【００４７】
より好ましくは、上記減殺手段７０に粘性と磁性を有する磁性流体(ｍａｇｎｅｔｉｃ  ｆｌｕｉｄ)が適用され得るが、この場合上記磁性流体は上記マグネット３４とコイル１４の間に注入されてダンパーの役割を果たすだけではなく、上記コイル１４に電流が印加される場合その磁性によって磁束密度を上げることにより、上記移送ユニット１０を移送させるための移送力を増加させる役割を果たすようになる。
【００４８】
上述した磁性流体とは、液体の中に磁性粉末(ｍａｇｎｅｔｉｃ  ｐａｒｔｉｃｌｅ)をコロイド(Ｃｏｌｌｏｉｄ)状に分散させた後、沈澱や凝集が生じないよう界面活性剤を添加した流体である。この際、磁性流体において粘度（ｖｉｓｃｏｃｉｔｙ）と磁性度(ｍａｇｎｅｔｉｚａｔｉｏｎ)は重要な因子になる。すなわち、磁性流体のダンパーの役割は上述した粘度によって決まるが、円滑なダンパーの役割をするために粘度は１００−３０００ｍＰａ・ｓの範囲であることが好ましい。
【００４９】
一方、図４に示すように、ケース３６の上部に固定される支持手段５０はその固定部５２に振動を吸収することができる材質からなったダンパー(点線で図示)が付着されてその減殺比を増加させるよう構成され得る。
【００５０】
上記と違って図５に示すように、ケース３６'は支持手段５０が固定されるその対面の面積を増加させ、その上部に粘性を有する流体である流体ダンパーをカバー３８によって充填させるよう構成され得る。
【００５１】
すなわち、図６ａ乃至６ｂに示すように、上記ケース３６'の上部に支持部材５０を固定させた後上記支持部材５０の上部を覆うよう上記カバー３８がケース３６'の上部に固定されて上記支持部材５０が外部に現れないように構成される。
【００５２】
この際、上記ケース３６'の上部とカバー３８の間、すなわち結合溝３６ａ'には粘性を有する流体(流体ダンパー)を注入して上記支持部材５０が上記流体ダンパーによって被われるように構成して上記流体ダンパーによって減殺效果を向上させることにより、その減殺比をより大きくすることができる。
【００５３】
上記のように構成された本発明による振動特性と耐衝撃性が向上された焦点調節装置の作用效果について図６ｂを通じて以下で説明する。
【００５４】
鏡筒１０２の外周上に巻線されたコイル１４に外部から電流が供給されると上記コイル１４とマグネット３４の間では電磁気力が発生される。上記のように発生される電磁気力によって上記鏡筒１２はヨーク３２に対して上下方向に直線運動をするようになる。この際、上記鏡筒１２内のレンズ(図示せず)は上記ケース３６'下部に設けられた画像センサー９０との距離が変化されることにより、その焦点距離を調節するように構成される。
【００５５】
一方、上記のように構成された本発明による焦点調節装置は上記コイル１４とマグネット３４の間に粘性流体または磁性流体などの減殺手段７０が注入されているので上記焦点調節装置に衝撃が加えられる場合加えられた衝撃を減殺させるようになる。
【００５６】
すなわち、上記減殺手段７０は加えられた衝撃力によって鏡筒１２がヨーク３２やマグネット３４などと衝突しないように衝撃を緩和させる役割をするようになるが、これはその共振点で振動のピーク値を減少させ鏡筒１２やヨーク３２などのその他構成要素らの衝突を防止することにより、本発明による焦点調節装置の耐衝撃性を向上させるようになる。
【００５７】
とりわけ、減殺手段７０が磁性流体の場合上記磁性流体は上記マグネット３４とコイル１４の間に注入されて上述したようにダンパーの役割をするではなく磁性によって磁束密度を上げることにより、コイル１４に電流が印加される場合コイル１４とマグネット３４の間で発生される電磁気力を増大させる役割をする。
【００５８】
また、コイル１４とマグネット３４の間で形成された電磁気力によって鏡筒１２を直線運動させその内部に内蔵されたレンズと画像センサー９０との距離を調節を通じて焦点距離を調節する場合鏡筒１２の回答時間を減少させる效果を得ることができる。
【００５９】
すなわち、上記減殺手段７０は上記鏡筒１２に電磁気力が作用されて移送された後、一定位置に停止する場合鏡筒１２に発生される振動を減殺させることにより、より速かに所望の位置で鏡筒１２を停止させることが可能となる。
【００６０】
とりわけ、磁性流体を減殺手段７０で使用した場合、上記減殺手段７０は上記マグネット３２とコイル１４の間でダンパーの役割をするだけではなく、その磁性によって磁束密度を上げることにより、上記鏡筒１２を移送させるための移送力を増加させるようになる。また、上記磁性流体はそのものが磁性を持っているので、上記マグネット３２との磁気力によって上記マグネット３４とコイル１４の間で充填されている状態をより安定的に維持するようになる。
【００６１】
従って、上記のようにコイル１４とマグネット３４の間に注入される減殺手段７０によって振動が減殺されるダンピング効果を得ることにより、鏡筒１２の移動を通じて焦点距離が調節される場合、迅速な焦点調節が可能であるだけでなくその回答特性を改善するようになり鮮明な映像を速かに得ることができるようになる。
【００６２】
また、上記鏡筒１２とヨーク３２の結合の際、案内開口１２ａと案内突起３２ｂが互いに結合される構造であるので、その組み立てが容易になる效果も得ることができる。
【００６３】
そして、ケースの上部に固定されるカバー３８をさらに具備してその間に粘性を有した流体(流体ダンパー)を充填させることにより、上記支持部材５０が上記流体によって被われるように構成してダンパー効果をより向上させることもできる。
【００６４】
本発明は、特定の実施例に係わって図示され、説明されたが、以下の特許請求範囲によって備えられる本発明の精神や分野を外れない限度内で本発明が様々に改造及び変化されることができるということを当業界において通常の知識を有した者は容易に判るとことを明らかにしておく。
【図面の簡単な説明】
【００６５】
【図１ａ】従来の焦点調節装置の分解斜視図である。
【図１ｂ】従来の焦点調節装置の結合斜視断面図である。
【図２】本発明による焦点調節装置の一実施例を示す分解斜視図である。
【図３】図２の移動ユニットと固定ユニットが結合された斜視図である。
【図４】図２の支持部材とケースが結合された斜視図である。
【図５】本発明の他の実施例によるケースと支持部材を示す分解斜視図である。
【図６ａ】図５のケースと支持部材を適用した焦点調節装置の全体斜視図である。
【図６ｂ】図５のケースと支持部材を適用した焦点調節装置における、図６ａの線Ａ-Ａに沿った斜視断面図である。
【符号の説明】
【００６６】
１０    移動ユニット        １２    鏡筒
１２ａ  案内開口            １４    コイル
３０    固定ユニット        ３２    ヨーク
３２ａ  突出部              ３２ｂ  案内突起
３４    マグネット          ３６    ケース
５０    支持手段            ５２    固定部
５４    支持部              ５２    固定部
９０    画像センサー        ９２    センサーブラケット
【図１ａ】
2006195452.tif 000003
【図１ｂ】
2006195452.tif 000004
【図２】
2006195452.tif 000005
【図３】
2006195452.tif 000006
【図４】
2006195452.tif 000007
【図５】
2006195452.tif 000008
【図６ａ】
2006195452.tif 000009
【図６ｂ】
2006195452.tif 000010